(57)【要約】      （修正有）【課題】漁場で捕獲した生魚を海上へ一時的に敷設した生簀に貯留させる際、希望する比較的大型のものであっても、これを簡便に得られるようにする生簀を提供する。【解決手段】直径を凡そ２５ｃｍ〜３５ｃｍで長さを凡そ７ｍ〜１４ｍとなした合成樹脂製単管１ａの両端縁部に接合用フランジ１ｂを取付けると共に、上記単管の３箇以上を漁場の海中で一定大きさの囲枠に組立て、該囲枠の周縁に有底の筒状網体を取付ける。この際、各単管の内外或いは上下方向へ少なくとも１箇の別途単管を並列状態に連結させたり、各単管の長さ方向に於ける特定箇所を一定の角度θ、即ち９０°≦θ＜１８０°に曲折させたりする。【選択図】図３
0003107117.tif 000002
【実用新案登録請求の範囲】
【請求項１】
直径を凡そ２５ｃｍ〜３５ｃｍで長さを凡そ７ｍ〜１４ｍとなした合成樹脂製単管の両端縁部に接合用フランジを取付けると共に、上記単管の３箇以上を漁場の海中で一定大きさの囲枠に組立て、該囲枠の周縁に有底の筒状網体を取付けてなる漁場に於ける一時的使用の放置生簀。
【請求項２】
各単管の内外或いは上下方向へ少なくとも１箇の別途単管を並列状態に連結させるものとなしたことを特徴とする請求項１記載の漁場に於ける一時的使用の放置生簀。
【請求項３】
単管の長さ方向に於ける特定箇所を一定の角度θに曲折させたことを特徴とする請求項１又は２記載の漁場に於ける一時的使用の放置生簀。
【請求項４】
単管の片方向に於ける接続用フランジの少し手前箇所を屈折し、該曲折角度θは９０°≦θ＜１８０°となしたことを特徴とする請求項１，２又は３記載の漁場に於ける一時的使用の放置生簀。
【考案の詳細な説明】
【技術分野】
【０００１】
本考案は漁場に於いて捕獲した魚を生魚の状態で海中に設けた生簀内へ一時的に貯留し、曳航生簀が到着するまで生魚を保管するための漁場に於ける一時的使用の放置生簀に関する。
【背景技術】
【０００２】
上記の如き一時的使用の海中生簀は専ら陸上で組立てたものを船で漁場に運び、現場で海中へ投下して設置することが行われており、而して網で捕獲した魚は随時該生簀内へ移して貯留するのである。
【特許文献１】特開２００２−３６０１１２
【考案の開示】
【考案が解決しようとする課題】
【０００３】
上記に於ける捕獲した魚を生きたままで、即ち生簀内で泳がせながら港まで曳航して持ち帰ることは、新鮮な活魚を市場に供給できる上で優れた漁法であるが、漁場で一時的に捕獲魚を貯留させる生簀の必要数を、どのようにして安定的に確保するのかの問題がある。即ち、小さな生簀はこれを運搬船に乗せて漁場へ運搬することは比較的容易であるものの、大きな生簀の場合には大型船を必要とし、且つその取扱い作業も容易ではない。このさい、小型の生簀は取扱い容易であるものの、多数の生魚を入れられないので効率が悪いのであり、従って如何にして大型の生簀を漁場で効率良く確保できるようにするかの問題がある。本考案はこの問題を解決せんとするものである。
【課題を解決するための手段】
【０００４】
本考案は、直径を凡そ２５ｃｍ〜３５ｃｍで長さを凡そ７ｍ〜１４ｍとなした合成樹脂製単管の両端縁部に接合用フランジを取付けると共に、上記単管の３箇以上を漁場の海中で一定大きさの囲枠に組立て、該囲枠の周縁に有底の筒状網体を取付けるものにする。ところで、各単管の内外或いは上下方向で少なくとも１箇の別途単管が並列状態に連結されるものとなしたり、また単管の長さ方向に於ける特定箇所を一定の角度θに曲折させたりするのである。このさい、上記に於ける単管の片方向に於ける接続用フランジの少し手前箇所を屈折し、該曲折角度θは９０°≦θ＜１８０°となしたものが使用勝手の良いものとなる。
【考案の効果】
【０００５】
本考案では上記構成の単管の多数を小型船に積込んで漁場へ行き、現場へ到着すると随時その適当数を海中へ投下すると共に、投下された単管を海中で適宜寄せ集め、その接合フランジ箇所をボルト及びナットで接合するのであり、この組立て作業は海中に於ける浮遊状態で行うものであることから、例え４０ｍ前後の大きな直径の大きさの囲枠を使用した生簀であっても極めて効率良く組立て作業の行えるものとなるのである。而して、組立てた囲枠には陸上で縫製した有底網体を縛り紐で取付けるのであるが、これについても網体底部が海中へ沈下する状態下に行うことができるので、全体的な組立て作業は海上が時化ていない限り極めて効率良く適確に行うことができるものとなる。
【０００６】
なお、本考案によれば適宜必要な数の放置生簀を現場で即時に対応処置することができるのであり、また漁場が移動すると囲枠は元の単管に分解することにより解体し、これを小型船に積み込んで他の漁場へ運び、直ちに再度組立て設置するようになすのである。
【０００７】
この従来に於ける作業で生簀の大きいものでは、その大きな生簀を小型船に積載することは不可能なため、大きな生簀自体の組立て設置は困難であったが、本考案ではこの問題を小型船で上記の通り可能にすることができた。
【考案を実施するための最良の形態】
【０００８】
図１は本考案で使用する単管１の斜視図であって、直径を凡そ２５ｃｍ〜３５ｃｍ、長さを凡そ７ｍ〜１４ｍとなした高密度ポリエチレンの合成樹脂管１ａの長さ方向の両端箇所には接合用フランジ１ｂ、１ｂが取付けてある。このさい、１ｃはフランジ１ｂに穿設したボルト孔であり、また該管１ａに於ける片方の接合用フランジ１ｂの少し手前箇所を曲折Ｐしたものとなし、該屈折角θは９０°≦θ＜１８０°の範囲で設定する。図示例はθ＝１２０°となしたものである。
【０００９】
図２は上記単管１の複数箇を接合フランジ１ｂの箇所でボルト２及びナット３を使用し、接合させる状態を示すものである。図示例の単管１に於ける屈折角θは１２０°となしたため、該単管１の６箇を接続して形成される囲枠４は６角形のものとなされる。
【００１０】
図３は上記に於ける囲枠４の形成の他の例を示すものであり、即ち本例では囲枠４の補強目的で内外或いは上下方向（図示例では内外）で少なくとも１箇（図示例では１箇）の単管を並列させて構成したものである。このさい、５はその適当間隔位置に取付けてなる接合金具である。このように複数箇を並設状態になしたものは、強度的に優れるのであり一般的に２箇を並設状態にして採用する。
【００１１】
図４は上記例の囲枠４に対し有底の網体６を取付けて生簀を構成した全体斜視図であり、７は縛り紐、８は網体の沈下用錘りである。なお、一定時間放置するさいには上記囲枠４にはブイを取付けたりする。
【００１２】
本考案の一般的使用では、その生簀の直径は凡そ２０ｍ〜５０ｍとなされるのであり、又その深さは凡そ１０ｍ〜２０ｍ程度のものとなされる。
【００１３】
上記実施例では単管１に於ける接合フランジ１ｂの取付けられる片端側の少し手前位置を屈曲したものについて説明したが、このようになしたものではその囲枠形成作業が容易となる上で優れるのであるが、屈曲させない直管を使用し、これを別にく字状に形成した接合管を介在使用させながら囲枠を形成するようになしても良く、本考案に係る実施の範囲内とする。
【００１４】
本考案は以上の如く構成するものであって、漁場に於いて要望される比較的大きな生簀を、極めて簡便且つ容易に組立て作成することができるのであり、作業性能の向上に寄与すること大ならしめるものである。
【図面の簡単な説明】
【００１５】
【図１】本考案で使用する単管の斜視図である。
【図２】上記単管の複数箇を接合して囲枠を形成する状態の説明図である。
【図３】囲枠形成の他の例を示すものである。
【図４】生簀形成の全体斜視図である。
【符号の説明】
【００１６】
１      単管
１ｂ    接合用フランジ
２      ボルト
３      ナット
４      囲枠
５      接合金具
６      網体
７      縛り紐
８      錘り
【図１】
0003107117.tif 000003
【図２】
0003107117.tif 000004
【図３】
0003107117.tif 000005
【図４】
0003107117.tif 000006